(57)【要約】【課題】少なくとも２種類以上の炊飯メニューを有し選択した炊飯メニューのシーケンスに従い炊飯する炊飯器において、異常検出時にその旨とそのときの炊飯メニューの内容を表示し、使用者はその表示を確認することにより、センサに異物付着していないか、あるいは炊飯メニューの選択の失敗でないかを認知できるようにする。【解決手段】米や水を入れる鍋１を加熱手段２により加熱し、少なくとも２種類以上の炊飯メニューを有するマイクロコンピュータ３により選択した炊飯メニューのシーケンスに従い加熱手段２を制御し、異常判定手段を構成するマイクロコンピュータ３により所定時間内に所定の温度上昇が得られない場合に異常と判定する。異常判定手段を構成するマイクロコンピュータ３が異常と判定した場合、液晶表示装置４は、その旨と選択されている炊飯メニューを同時に表示するようにする。【選択図】図１
2008062079.tif 000002
【特許請求の範囲】
【請求項１】
米や水を入れる鍋と、この鍋を加熱する加熱手段と、前記鍋の温度を検知する温度センサと、少なくとも２種類以上の炊飯メニューを有し選択した炊飯メニューに対応した炊飯シーケンスに従い前記温度センサからの信号により前記加熱手段を制御する制御手段と、炊飯メニューの変更をスイッチ操作により行うメニュー選択手段と、炊飯メニューや時刻などを表示する表示手段と、炊飯メニューの履歴の表示要求を行う履歴表示要求手段とを備え、前記表示手段は、前記異常判定手段が異常と判定した場合、異常と判定した旨を表示するともに、前記履歴表示要求手段の要求により以前に炊飯した炊飯メニューを同時に表示するようにした炊飯器。
【発明の詳細な説明】
【技術分野】
【０００１】
本発明は、少なくとも２種類以上の炊飯メニューを有し選択した炊飯メニューのシーケンスに従い炊飯する炊飯器に関するものである。
【背景技術】
【０００２】
従来、この種の炊飯器は、鍋と接触するように温度センサを配置して鍋内の温度を検出し、その温度の入力と予め記憶されている炊飯シーケンスにより炊飯動作を行うようにしているが、温度センサと鍋の間に異物が介在すると、温度の検出が不安定になるため、その状態を検出すると通電を停止し、その旨を表示する構成にしている（例えば、特許文献１参照）。
【０００３】
炊飯動作は、米に水分を吸水させる浸漬工程と、強い火力で炊き上げる炊上げ工程と、炊上げ後にむらしを行うむらし工程の大きく三段階の工程からなるが、温度センサと鍋の間に異物が介在すると、炊上げ工程でドライアップの温度がうまく検出できなくなる。
【０００４】
このように、炊上げ工程において所定の時間内にドライアップを検出できない場合、温度センサの検出異常と判定し、通電を止め、表示手段にその旨を表示するようにしていた。
【特許文献１】特開２０００−４１８４５号公報（第４頁、第１図）
【発明の開示】
【発明が解決しようとする課題】
【０００５】
しかしながら、このような従来の構成では、炊飯メニューの設定ミスによっても温度センサの検出異常と判定してしまうという問題を有していた。
【０００６】
つまり、例えば玄米など白米に比べ、カップ数に対する水量が多い炊飯メニューの場合、その玄米用の炊飯メニューを選択して炊飯を開始するが、このとき炊飯メニューの選択を忘れ、白米メニューで炊飯開始してしまうと、鍋内の水量が多いため、炊上げ工程で所定の時間内にドライアップ温度まで到達せず、その結果、温度センサの検出異常と判定してしまうことになる。
【０００７】
また、操作の簡略化のために、よく使用される炊飯メニューで炊飯開始する場合、その炊飯メニューを記憶し、炊飯終了後は自動的にその炊飯メニューが選択された状態になるようにしている場合があり、例えば、白米や無洗米メニューは、よく使用される炊飯メニューなので記憶し、玄米やおかゆメニューなどは頻繁に使われないので記憶しないようにしている。この白米メニューを記憶している場合、白米メニューで炊飯をスタートしても玄米メニューで炊飯をスタートしても炊飯終了後は白米メニューを指すことになるので、玄米メニューをスタートしようとして炊飯メニューの選択を忘れ、白米メニューで炊飯スタートしてしまった場合、異常と判定しその旨を表示するが、その表示を取り消すと通常の表示に戻り、このとき白米メニューの選択状態になるので、結局使用者は炊飯メニューの設定ミスに気付かないという問題を有していた。
【０００８】
本発明は上記従来の課題を解決するもので、異常検出時にその旨とそのときの炊飯メニューの内容を表示し、使用者はその表示を確認することにより、センサに異物付着していないか、あるいは炊飯メニューの選択の失敗でないかを認知できるようにすることを目的としている。
【課題を解決するための手段】
【０００９】
本発明は上記目的を達成するために、米や水を入れる鍋を加熱手段により加熱し、鍋内の温度を温度センサにより検知し、少なくとも２種類以上の炊飯メニューを有する制御手段により選択した炊飯メニューに対応したシーケンスに従い加熱手段を制御し、炊飯メニューや時刻などを表示手段により表示し、炊飯メニューの履歴の表示要求を履歴表示要求手段により行うよう構成し、表示手段は、前記異常判定手段が異常と判定した場合、異常と判定した旨を表示するともに、履歴表示要求手段からの要求により以前に炊飯した炊飯メニューを同時に表示するようにしたものである。
【００１０】
これにより、異常検出時にその旨と、履歴表示要求手段により、そのときの炊飯メニューの内容を表示することができるので、使用者はその表示を確認することにより、センサに異物付着していないか、あるいは炊飯メニューの選択の失敗でないかを認知することができる。
【発明の効果】
【００１１】
本発明の炊飯器は、異常検出時にその旨と履歴表示要求手段により、そのときの炊飯メニューの内容を表示することができるので、使用者はその表示を確認することにより、センサに異物付着していないか、あるいは炊飯メニューの選択の失敗でないかを認知できる。
【発明を実施するための最良の形態】
【００１２】
第１の発明は、米や水を入れる鍋と、この鍋を加熱する加熱手段と、少なくとも２種類以上の炊飯メニューを有し選択した炊飯メニューのシーケンスに従い前記加熱手段を制御する制御手段と、炊飯メニューや時刻などを表示する表示手段と、炊飯メニューの履歴の表示要求を行う履歴表示要求手段とを備え、前記表示手段は、前記履歴表示要求手段の要求により以前に炊飯した炊飯メニューを表示するようにしたものであり、使用者は異常表示を確認した後、表示手段により前回行った炊飯メニューを表示できるので、炊飯メニューの設定の失敗がないか確認することができる。
【００１３】
以下、本発明の実施の形態について、図面を参照しながら説明する。なお、この実施の形態によって本発明が限定されるものではない。
【００１４】
（実施の形態１）
図１に示すように、鍋１は米や水など調理物を入れ、加熱手段２により加熱される。加熱手段２は誘導コイル２１とインバータ回路２２とで構成し、インバータ回路２２より誘導コイル２１に高周波電流を供給し、鍋１を誘導加熱するよう構成している。温度センサ１１は、サーミスタで構成し、分圧抵抗１２を介して直流電圧値を分圧し、マイクロコンピュータ３に内蔵されたＡＤ変換器に入力している。このとき、鍋１の温度が低ければ温度センサ１１のサーミスタの抵抗値は大きくなり、逆に、温度が高くなれば抵抗値が小さくなり、それぞれマイクロコンピュータ３に入力される分圧値は温度が低いとき低くなり、温度が高いときは分圧値は高くなる。このように分圧値の値を判定することにより鍋１の温度の状態を知ることができる。
【００１５】
マイクロコンピュータ３は、加熱手段２を所定のシーケンスに従い制御する制御手段を構成するもので、スタートスイッチ５より入力があると、炊飯動作を開始し、内部タイマと温度センサ１１との入力値により予め記憶されている炊飯シーケンスに従い、米に吸水させる浸漬工程、炊き上げを行う炊き上げ工程、炊き上げ後むらしを行うむらし工程の順に実施し、加熱手段２の加熱動作を制御する。
【００１６】
メニュー選択スイッチ６は、スタートスイッチ５を操作する前に操作することで、設定されている任意の炊飯メニューで炊飯を開始できるようにするものである。液晶表示装置４は表示手段であり、この選択された炊飯メニューや現在時刻を表示するようにしている。
【００１７】
制御手段が実施する炊飯シーケンスについて図２を参照しながら説明する。図２において、横軸は時間軸で、左から右へ進んでいく。縦軸は温度センサ１１により検知する温度である。
【００１８】
まず、炊飯が開始されると浸漬工程に入り、マイクロコンピュータ３は加熱手段２に加熱信号を出力し、所定の温度まで加熱し維持する。これは鍋１内の水温を上昇させ、米に十分に吸水させるためである。所定時間が経過すると炊き上げ工程となり、加熱手段２による加熱が始まる。
【００１９】
このとき、温度Ｔｅｍｐ１からＴｅｍｐ２まで達する時間をｔ１としたとき、炊飯量が少ないとｔ１は短くなり、逆に多いと長くなる。このように時間ｔ１を測定することにより炊飯量を推定することができる。この推定された炊飯量より、その後の加熱手段２による火力を算出し、加熱する。
【００２０】
そして、鍋１内の水分が少なくなると、温度は上昇してゆき、Ｔｅｍｐ３を検知したとき炊き上げ工程を終了し、むらし工程となる。むらし工程では、加熱手段２による加熱をあまり行わず、鍋１内を蒸れた状態に維持する。そして、むらし工程開始から一定時間が経過するとご飯は炊けた状態になる。このＴｅｍｐ２からＴｅｍｐ３までに要する時間をｔ２と呼ぶこととする。
【００２１】
なお、この実施される炊飯シーケンスは炊飯メニューにより異なり、例えば、標準的な白米メニューであれば、上述のように実施されるが、玄米メニューであると炊飯量の推定は行わず、一定の火力で長時間にわたって炊き上げ工程を維持し、Ｔｅｍｐ３のドライアップ検知でむらし工程に移行するようにしている。
【００２２】
ここで、温度センサ１１の検知異常について説明する。鍋１と温度センサ１１との間に異物が介在するときなど、鍋１の温度上昇に対する温度センサ１１の温度の追従が悪くなり、その結果、時間ｔ２が延長される。Ｔｅｍｐ３が検知できないまま、この時間ｔ２が所定の時間以上になると、温度センサ１１の検知異常であるとマイクロコンピュータ３は判定し、加熱手段２への加熱を止める。
【００２３】
温度センサ１１の検知異常は、このように時間ｔ２での時間で判定しているため、玄米を始めようとして玄米メニューに合わせるのを忘れ、白米メニューで始めてしまったときも、米に対する水量が多いため、時間ｔ２が伸びてしまい、同じく温度センサ１１の検知異常となる。このようにマイクロコンピュータ３は異常判定手段を構成している。
【００２４】
上記構成において異常判定後の液晶表示装置４への表示のプロセスを図３のフローチャートと図４の表示例を参照しながら動作を説明する。
【００２５】
ステップＳ１において、まず今回の異常の種類を判定する。温度センサ１１であるサーミスタが断線したときマイクロコンピュータ３への電圧入力値は０Ｖとなるので、この０Ｖの状態を検知するとマイクロコンピュータ３は温度センサ１１の断線と判定するようにしている。つまり、温度センサ１１の断線ならばステップＳ２へ進み、温度センサ１１の検知異常ならばステップＳ３へと進む。
【００２６】
ステップＳ２では温度センサ１１の断線であるので、図４（ｂ）に示すように、その旨を示す「Ｈ０１」コードのみを液晶表示装置４へ表示する。ステップＳ３では温度センサ１１の検知異常であるので、図４（ａ）に示すように、その旨を示す「Ｕ１２」コードを液晶表示装置４へ表示し、つづくステップＳ４で異常が発生したときに選択されていた炊飯メニューをさらに表示する。
【００２７】
このように時間ｔ２が所定時間以上だと加熱手段２への加熱を止め、かつ液晶表示装置４に異常が発生した旨とそのときの炊飯メニューを同時に表示できる。使用者はこの「Ｕ１２」というコードを確認することで、鍋１と温度センサ１１との間に異物が介在していないか確認し、介在していなければ、同時に表示されている炊飯メニューで意図した炊飯メニューで炊飯をしていたのか確認することができる。
【００２８】
なお、本実施の形態では、温度センサ１１の断線時は「Ｈ０１」のみを表示し、炊飯メニューは表示していない。これは、温度センサ１１の断線に炊飯メニューは関係ないためで、使用者に必要最小限のことのみ伝えるように配慮している。
【００２９】
以上のように、本実施の形態においては、異常判定手段を構成するマイクロコンピュータ３が異常と判定した場合、液晶表示装置４はその旨と選択されている炊飯メニューを同時に表示するようにしたので、異常検出時にその旨とそのときの炊飯メニューの内容を表示することができるので、使用者はその表示を確認することにより、温度センサ１１に異物付着していないか、あるいは炊飯メニューの選択の失敗でないかを認知できる。
【００３０】
（実施の形態２）
図１に示す液晶表示装置４は、異常判定手段を構成するマイクロコンピュータ３が異常と判定した場合、メニュー選択スイッチ６の操作による炊飯メニューの変更を行わないで炊飯を開始した場合ならば、異常と判定した旨と選択されている炊飯メニューを同時に表示し、炊飯メニューの変更を行ったならば、異常と判定した旨のみ表示するように構成している。他の構成は上記実施の形態１と同じである。
【００３１】
上記構成において異常判定後の液晶表示装置４への表示のプロセスを図５のフローチャートと図４および図６の表示例を参照しながら動作を説明する。なお、ステップＳ１からステップＳ４までの動作は上記実施の形態１の動作と同じであるので説明を省略する。
【００３２】
温度センサ１１の検知異常と判定されたステップＳ３では「Ｕ１２」コードを表示し、つづくステップＳ５で炊飯メニューの変更がされて炊飯が開始されたか判定する。変更されていなければステップＳ４へ進み、図４（ａ）に示すように、炊飯メニューの表示を行う。そうでなければステップＳ４をスキップし、図６に示すように、「Ｕ１２」コードのみを表示する。
【００３３】
このように、炊飯メニューの変更がされずに炊飯を開始し、温度センサ１１の検知異常を判定したときのみ「Ｕ１２」コードのほかに炊飯メニューを同時に表示できる。炊飯メニューの変更がされていないということは、炊飯メニューの変更忘れの可能性が高く、逆に炊飯メニューの変更を行っている場合は使用者が意図的にその炊飯メニューを変更したことになり、炊飯メニューの変更のないときのみ「Ｕ１２」コードと炊飯メニューを表示することで、炊飯メニューの変更忘れを使用者に効果的に知らせることができる。
【００３４】
以上のように、本実施の形態においては、異常判定手段を構成するマイクロコンピュータ３が異常と判定した場合、液晶表示装置４は、炊飯メニューの変更を行わないで炊飯を開始した場合ならば、異常と判定した旨と選択されている炊飯メニューを同時に表示するようにし、メニューを変更して炊飯を開始した場合ならば、異常と判定した旨のみを表示するようにしたので、炊飯メニューの変更を行わず炊飯を開始して異常を判定したときのみ同時に炊飯メニューを表示するので、使用者はその表示を確認することで炊飯メニューの設定忘れを認識することができる。
【００３５】
（実施の形態３）
図１に示すように、履歴表示要求スイッチ７は、履歴表示要求手段を構成するもので、マイクロコンピュータ３に接続し、この履歴要求スイッチ７の要求信号があると、液晶表示装置４は以前に炊飯した炊飯メニューを表示するように構成している。他の構成は上記実施の形態１と同じである。
【００３６】
上記構成において異常判定後の液晶表示装置４への表示のプロセスを図７のフローチャートと図４および図８の表示例を参照しながら動作を説明する。なお、ステップＳ１からステップＳ４までの動作は上記実施の形態１の動作と同じであるので説明を省略する。
【００３７】
温度センサ１１の検知異常と判定されたステップＳ３では「Ｕ１２」コードを表示し、つづくステップＳ６で履歴表示要求スイッチ７が操作されているか判定する。操作されていればステップＳ４へ進み、図４（ａ）に示すように、以前に炊飯した炊飯メニューの表示を行う。そうでなければ、ステップＳ４をスキップし、図８に示すように、「Ｕ１２」コードのみを表示する。
【００３８】
このように、温度センサ１１の検知異常を判定した後、履歴表示要求スイッチ７を操作することにより、以前に炊飯した炊飯メニューを表示することができる。使用者は「Ｕ１２」コードの表示を確認したときは、この履歴表示要求スイッチ７を操作することにより、炊飯メニューの設定の失敗がなかったか確認することができる。
【００３９】
なお、本実施の形態において、「Ｕ１２」コード表示中に履歴表示要求スイッチ７の判定を行っているが、これは「Ｕ１２」コード表示を取り消し、通常の表示に戻ったときに受け付けても構わない。このとき、異常判定の旨を表示していないときでも実施した炊飯メニューの確認ができ、さらに有用である。
【００４０】
以上のように、本実施の形態においては、液晶表示装置４は、履歴表示要求スイッチ７の要求により以前に炊飯した炊飯メニューを表示するようにしたので、使用者は異常表示を確認した後、液晶表示装置４により前回行った炊飯メニューを表示できるので、炊飯メニューの設定の失敗がないか確認することができる。
【産業上の利用可能性】
【００４１】
以上のように、本発明にかかる炊飯器は、異常検出時にその旨とそのときの炊飯メニューの内容を表示することができるので、使用者はその表示を確認することにより、センサに異物付着していないか、あるいは炊飯メニューの選択の失敗でないかを認知でき、少なくとも２種類以上の炊飯メニューを有し選択した炊飯メニューのシーケンスに従い炊飯する炊飯器として有用である。
【図面の簡単な説明】
【００４２】
【図１】本発明の第１の実施の形態の炊飯器の一部ブロック化した回路図
【図２】同炊飯器の炊飯シーケンスを示すタイムチャート
【図３】同炊飯器の要部動作フローチャート
【図４】（ａ）同炊飯器の温度センサの検知異常時の表示手段の正面図（ｂ）同炊飯器の温度センサの断線時の表示手段の正面図
【図５】本発明の第２の実施の形態の炊飯器の要部動作フローチャート
【図６】同炊飯器の温度センサの検知異常時の表示手段の正面図
【図７】本発明の第３の実施の形態の炊飯器の要部動作フローチャート
【図８】同炊飯器の履歴表示要求手段非操作時の表示手段の正面図
【符号の説明】
【００４３】
１  鍋
２  加熱手段
３  マイクロコンピュータ（制御手段、異常判定手段）
４  液晶表示装置（表示手段）
【図１】
2008062079.tif 000003
【図２】
2008062079.tif 000004
【図３】
2008062079.tif 000005
【図４】
2008062079.tif 000006
【図５】
2008062079.tif 000007
【図６】
2008062079.tif 000008
【図７】
2008062079.tif 000009
【図８】
2008062079.tif 000010